(57)【特許請求の範囲】
【請求項１】
カウルルーバーの後端縁とフロントガラスの下端縁とを連接するカウルルーバーとフロントガラスとの連接構造であって、
前記カウルルーバーの後端縁には、下方に向けて延在する係合爪が形成されており、
前記カウルルーバーと前記フロントガラスとの連接部下方には、車体パネルに固定され、前記係合爪と係合可能な板バネが設けられており、
前記係合爪を前記板バネに係合することで、前記カウルルーバーが前記板バネによって上方かつ車両後方へ常時付勢され、前記カウルルーバーの後端縁外面と前記フロントガラスの下端縁外面とが面一となった状態で、前記カウルルーバーの後端縁が前記フロントガラスの下端縁へ密接しており、
前記板バネは、前記車体パネルに固定されるベース部と、該ベース部後端から上方へ立設する縦壁部及び後方付勢片と、該縦壁部の上端から車両後方へ向けて延在する上方付勢部とを有し、
前記カウルルーバーと前記板バネとは、前記板バネの上方付勢部上を車両前後方向へ摺動自在に係合されたスペーサを介して係合され、
前記スペーサは、前記フロントガラスの下面に当接する高さ調節用の突起を有している、カウルルーバーとフロントガラスとの連接構造。
【請求項２】
前記カウルルーバーの後端縁と前記フロントガラスの下端縁との間に弾性体が配されている、請求項１に記載のカウルルーバーとフロントガラスとの連接構造。
【発明の詳細な説明】
【技術分野】
【０００１】
本発明は、車両のフロントガラスとエンジンフードとの間に配設されて両者の間を塞ぐカウルルーバーの連接構造に関し、詳しくはカウルルーバーの後端縁とフロントガラスの下端縁との連接構造に関する。
【背景技術】
【０００２】
カウルルーバーは、車両のフロントガラスとエンジンルームの天面を覆うエンジンフード（ボンネット）との間に配設されてエンジンルームと車室とを画成するとともに、外気を車室内に取り入れるパネル部材として配設されている。基本的に、カウルルーバーの先端縁部はエンジンフードの後端縁部と連接され、カウルルーバーの後端縁部はフロントガラスの下端縁部と連接される。
【０００３】
従来のカウルルーバーとフロントガラスとの連接構造は、例えば下記特許文献１のように、カウルルーバーの後端縁部を上下二股状のクリップ形状に形成し、当該クリップ形状部の間にフロントガラスの下端縁部を挿嵌固定している。
【先行技術文献】
【特許文献】
【０００４】
【特許文献１】特開平８−２４４３号公報
【発明の概要】
【発明が解決しようとする課題】
【０００５】
しかしながら、特許文献１のような連接構造では、フロントガラス下端縁部の外面とカウルルーバー後端縁部（クリップ部）の外面との間で段差が生じている。これでは、外観が悪いばかりか、段差部分に水、雪などが溜まって当該段差部から水分が内部へ侵入したり、塵埃や砂利などが溜まってフロントガラスの汚れや傷付きの原因となる危険性があった。
【０００６】
そこで、本発明は上記課題を解決するものであって、カウルルーバーとフロントガラスとの連接部から水分等の侵入を防止しながら、当該連接部に段差が生じることなく連接できる、カウルルーバーとフロントガラスとの連接構造を提供することを目的とする。
【課題を解決するための手段】
【０００７】
そのための手段として本発明は、カウルルーバーの後端縁とフロントガラスの下端縁とを連接するカウルルーバーとフロントガラスとの連接構造であって、前記カウルルーバーの後端縁には、下方に向けて延在する係合爪が形成されている。一方、前記カウルルーバーと前記フロントガラスとの連接部下方には、車体パネルに固定され、前記係合爪と係合可能な板バネが設けられている。そして、前記係合爪を前記板バネに係合した状態では、前記カウルルーバーが前記板バネによって上方かつ車両後方へ常時付勢されることで、前記カウルルーバーの後端縁外面と前記フロントガラスの下端縁外面とが面一となった状態で、前記カウルルーバーの後端縁が前記フロントガラスの下端縁へ密接していることを特徴とする。
【０００８】
これによれば、カウルルーバーが板バネによって上方に付勢されることで、カウルルーバーの外面とフロントガラスの外面とが面一となる。すなわち、カウルルーバーとフロントガラスとの連接部には段差が生じていないので見栄えがよく、且つ水、雪、塵埃、砂利などが当該連接部に溜まることも防止できる。しかも、カウルルーバーは板バネによって車両後方側に付勢されることでカウルルーバーの後端縁とフロントガラスの下端縁とが密接しているので、両者の連接部から水分や塵埃などが内部へ侵入することも防止できる。
【０００９】
前記板バネは、前記車体パネルに固定されるベース部と、該ベース部後端から上方へ立設する縦壁部及び後方付勢片と、該縦壁部の上端から車両後方へ向けて延在する上方付勢部とを有する構造としたうえで、前記カウルルーバーと前記板バネとは、前記板バネの上方付勢部上を車両前後方向へ摺動自在に係合されたスペーサを介して係合することができる。このとき、前記スペーサには、前記フロントガラスの下面に当接する高さ調節用の突起を設けておく。このように、スペーサに高さ調節用の突起を設けていれば、その高さ寸法を設計することによって、カウルルーバーの外面とフロントガラスの外面とをより確実に面一とすることができる。
【００１０】
前記カウルルーバーの後端縁と前記フロントガラスの下端縁との間には、弾性体を配しておくことが好ましい。これによれば、カウルルーバーとフロントガラスとの連接部が弾性体によってシールされるので、水分や塵埃などの侵入をより確実に防止することができる。
【発明の効果】
【００１１】
本発明によれば、カウルルーバーの後端縁外面とフロントガラスの下端縁外面とが面一となるので見映えが向上すると共に、両者の連接部に水分や塵埃などが溜まることも防止できる。また、カウルルーバーの後端縁とフロントガラスの下端縁とが密接しているので、両者の連接部から水分や塵埃などが内部へ侵入することも防止できる。
【図面の簡単な説明】
【００１２】
【図１】車両フロント部の斜視図である。
【図２】カウルルーバーとフロントガラスとの連接部の断面図である。
【図３】係合爪周辺の要部拡大斜視図である。
【図４】板バネ及びスペーサの斜視図である。
【発明を実施するための形態】
【００１３】
以下に、適宜図面を参照しながら本発明の代表的な実施形態について説明するが、本発明はこれに限定されることはなく、本発明の要旨を逸脱しない範囲で、種々の変形が可能である。本発明のカウルルーバーとフロントガラスとの連接構造は、普通自動車、軽自動車、大型自動車など種々の自動車に適用可能なものである。
【００１４】
カウルルーバー１０は合成樹脂製の射出成形品であって、図１に示すように、フロントガラス１とエンジンフード２との間を塞ぐように車両幅方向に配されたパネル状のカバー部材である。当該カウルルーバー１０によって、図外のワイパーモータ等が覆われている。カウルルーバー１０の上面１０ａには、複数のスリットからなる外気取入口１１が形成されており、外気は外気取入口１１から車室内と連通する連通路（図示せず）を通って車室内へと導入されるようになっている。
【００１５】
図２に示すように、カウルルーバー１０は、フロントガラス１とエンジンフード２との間を塞ぐ上面１０ａと、該上面１０ａの前端縁から連続する凹部１０ｂと、該凹部１０ｂの前端縁から車両前方へ延在するフランジ部１０ｃとを、一体的に有する。凹部１０ｂの下面は、図示していない車体パネルによって支持されている。
【００１６】
フランジ部１０ｃの上面には、ゴム等の弾性体からなるシール部材１２が載置固定されている。シール部材１２は、カウルルーバー１０とエンジンフード２との間に介在するものであって、シール部材１２の上面にエンジンフード２が載せられ、シール部材１２はエンジンフード２によって押圧されて弾性変形している。これにより、カウルルーバー１０とエンジンフード２とのシール性（気密性）が確保されて、カウルルーバー１０側からエンジンルームへの水の浸入や、エンジンルールで生じる音・熱がカウルルーバー１０側に伝達されることを防止ないし抑制している。また、シール部材１２によってエンジンルームからの空気も遮断することができるため、外気取入口１１から新鮮な外気のみを車室内へ取り込むことができる。カウルルーバー１０とシール部材１２には、車両幅方向に所定間隔で複数のクリップ孔（図示せず）が形成されており、当該クリップ孔においてカウルルーバー１０とシール部材１２とがクリップ留めされている。
【００１７】
図２及び図３に示すように、カウルルーバー１０の後端縁には、下方に向けて延在する係合爪１５が一体形成されている。係合爪１５は、カウルルーバー１０の後端縁において、車両幅方向に所定間隔で複数箇所形成されている。係合爪１５の左右両側縁には、車両前方へ向けて延在するリブ１５ａが一体形成されており、リブ１５ａの上下中間部には段部１５ｂが形成されている。また、カウルルーバー１０の後端縁であって、係合爪１５の上方には、カウルルーバー１０の幅方向両端に渡って段部１０ｄが形成されており、当該段部１０ｄに、ゴム等の弾性体からなるシール部材１３が配されている。
【００１８】
カウルルーバー１０とフロントガラス１との連接部下方には、ボルト３によって車体パネル４に固定された板バネ２０が配されている。板バネ２０は金属製の一枚板からなり、図２及び図４に示すように、車体パネル４に固定されるベース部２０ａと、該ベース部２０ａの後端から上方へ立設する縦壁部２０ｂと、該縦壁部２０ｂの上端から車両後方へ延在する上方付勢部２０ｃとを有する。板バネ２０の平面方向中央部には、縦壁部２０ｂを含めて長孔２０ｄが形成されており、左右の縦壁部２０ｂの間には、長孔２０ｄのベース部２０ａ側縁から延在する後方付勢片２０ｅが立設している。
【００１９】
また、板バネ２０の長孔２０ｄには、スペーサ２１が上方付勢部２０ｃの上面を車両前後方向に摺動可能に係合されている。スペーサ２１は合成樹脂製の射出成形品であって、板バネ２０の上方付勢部２０ｃ上を摺動する平板状のベース部２１ａと、該ベース部２１ａの後端縁から上方に立設する突起２１ｂと、ベース部２１ａの平面方向中央部に形成され、カウルルーバー１０の係合爪１５が係合される係合孔２１ｃと、ベース部２１ａの下面幅方向両側部に設けられた係合片２１ｄとを一体的に有する。係合片２１ｄが、板バネ２０の上方付勢部２０ｃの上方から長孔２０ｄの幅方向両側縁に係合されることで、スペーサ２１が上方付勢部２０ｃの上面を車両前後方向に摺動可能となっている。このとき、スペーサ２１の前端縁は板バネ２０の後方付勢片２０ｅと当接して押圧されていることで、スペーサ２１は後方付勢片２０ｅによって常時車両後方側へ付勢されている。
【００２０】
カウルルーバー１０の係合爪１５の幅寸法は、スペーサ２１の係合孔２１ｃの幅寸法より小さい。そのうえで、図２に示すように、左右のリブ１５ａを含めて係合爪１５が係合孔２１ｃに対して着脱自在に係合される。すなわち、係合爪１５はスペーサ２１を介して板バネ２０と係合可能となっている。
【００２１】
このとき、係合爪１５の段部１５ｂがスペーサ２１の上面に当接していることで、板バネ２０からの上方付勢力を段部１５ｂが受け止めて、係合爪１５延いてはカウルルーバー１０の後端縁部が常時上方へ付勢される。同時に、スペーサ２１の突起２１ｂがフロントガラス１の下面に当接する。当該突起２１ｂは、フロントガラス１の下面に当接した状態において、カウルルーバー１０の後端縁外面とフロントガラス１の下端縁外面とが面一となるように高さが設計されている。すなわち、スペーサ２１に高さ調節用の突起２１ｂが設けられていることで、カウルルーバー１０の後端縁外面とフロントガラス１の下端縁外面とが的確に面一となるように設計されている。これにより、カウルルーバー１０とフロントガラス１との連接部に段差が生じないので、水、雪、塵埃、砂利などが当該連接部に溜まることを避けることができる。
【００２２】
一方、板バネ２０の後方付勢片２０ｅによる車両後方側への付勢力も、スペーサ２１を介して係合爪１５へ伝達される。これにより、カウルルーバー１０は車両後方側へ常時付勢されていることで、カウルルーバー１０の後端縁とフロントガラス１の下端縁とを密接させることができる。これにより、カウルルーバー１０とフロントガラス１との連接部から水分や塵埃などが内部に侵入することを防止することができる。しかも、当該連接部はシール部材１３の存在によってシールされていることで、カウルルーバー１０とフロントガラス１との連接部から水分や塵埃などが内部に侵入することが確実に防止される。
【符号の説明】
【００２３】
１  フロントガラス
２  エンジンフード
４  車体パネル
１０  カウルルーバー
１３  シール部材
１５  係合爪
１５ａ  リブ
１５ｂ  段部
２０  板バネ
２０ａ  ベース部
２０ｂ  縦壁部
２０ｃ  上方付勢部
２０ｅ  後方付勢片
２１  スペーサ
２１ａ  ベース部
２１ｂ  突起
２１ｃ  係合孔
【図１】
0005839475.tif 000002
【図２】
0005839475.tif 000003
【図３】
0005839475.tif 000004
【図４】
0005839475.tif 000005